(57)【要約】【課題】  霊場巡礼の際に各札所寺院から授けられる朱印を骨袋にうまく集めることができるようにする。【解決手段】  骨袋を作製するための布帛２が、当該骨袋の表面をなす面が外側になるように、台紙を間に挟んで縦方向に半分に折り畳まれた後、台紙とともに横方向に等間隔にアコーディオン状に折り畳まれ、その折り畳み体の一方の端面に表紙３が、他方の端面に裏表紙５がそれぞれ設けられ、折り畳み体を構成する各折り畳み片の布帛面６には、霊場巡礼の際に各札所寺院によって朱印が押印され得る。【選択図】  図１
0003104703.tif 000002
【実用新案登録請求の範囲】
【請求項１】
骨袋を作製するための布帛が、当該骨袋の表面をなす面が外側になるように、台紙を間に挟んで縦方向に半分に折り畳まれた後、前記台紙とともに横方向に等間隔にアコーディオン状に折り畳まれ、その折り畳み体の一方の端面に表紙が、他方の端面に裏表紙がそれぞれ設けられ、前記折り畳み体を構成する各折り畳み片の布帛面には、霊場巡礼の際に各札所寺院によって朱印が押印され得るようになっているものであることを特徴とする集印帳。
【請求項２】
前記台紙は２枚重ねになっているとともに、その縦方向の長さが前記布帛の縦方向の長さの半分より短くなっており、前記２枚重ねにされた台紙の上端縁が前記布帛を縦方向に半分に分ける中心線に一致した状態で、前記布帛が縦方向に半分に折り畳まれ、前記台紙からはみ出した上下端縁の帯状部分が、それぞれ、前記２枚の台紙の間に折り畳まれて挿入されるようになっていることを特徴とする請求項１に記載の集印帳。
【請求項３】
前記布帛は、糊剤によって、前記台紙に仮止めされていることを特徴とする請求項１又は請求項２に記載の集印帳。
【請求項４】
前記布帛は、布海苔によって、前記台紙の全面に貼着されていることを特徴とする請求項１又は請求項２に記載の集印帳。
【請求項５】
前記台紙は、その縦方向の長さが前記布帛の縦方向の長さの半分になっていて、前記台紙が前記布帛の縦方向半分の部分の一方に重ね合わされた状態で、前記布帛が縦方向に半分に折り畳まれるとともに、前記布帛は糊剤によって前記台紙に仮止めされていることを特徴とする請求項１に記載の集印帳。
【請求項６】
前記台紙は、その縦方向の長さが前記布帛の縦方向の長さの半分になっていて、前記台紙が前記布帛の縦方向半分の部分の一方に重ね合わされた状態で、前記布帛が縦方向に半分に折り畳まれるとともに、前記布帛は布海苔によって前記台紙の全面に貼着されていることを特徴とする請求項１に記載の集印帳。
【請求項７】
骨袋を作製するための布帛が、当該骨袋の表面をなす面が外側になるように、台紙を挟んで縦方向に、その上端縁側から縦方向全長の１／４の長さ折り畳まれ、かつその下端縁側から前記縦方向全長の１／４の長さ折り畳まれるとともに、布海苔によって前記台紙の全面に貼着され、その後、前記布帛は前記上端縁及び下端縁の接合線に沿って前記台紙とともに縦方向谷折りに半分に折り畳まれた後、前記台紙とともに横方向に等間隔にアコーディオン状に折り畳まれ、その折り畳み体における前記布帛に被われていない両端の折り畳み片には、表紙及び裏表紙がそれぞれ設けられ、前記折り畳み体を構成する各折り畳み片の布帛面に、霊場巡礼における各札所寺院によって朱印が押印された後、前記布帛が前記台紙とともに、前記上端縁及び下端縁の接合線に沿って縦方向に山折りに半分に折り畳まれた後、前記台紙とともに横方向に前記等間隔にアコーディオン状に折り畳まれ、前記折り畳み体を構成する各折り畳み片の布帛面に、各札所寺院によって朱印が押印され得るようになっているものであることを特徴とする集印帳。
【請求項８】
前記台紙は、その縦方向の長さが前記布帛の縦方向の長さの半分になっていて、前記台紙を縦方向に半分に分ける中心線と、前記布帛を縦方向半分に分ける中心線が一致した状態で、前記布帛が縦方向に折り畳まれるようになっていることを特徴とする請求項４に記載の集印帳。
【請求項９】
骨袋を作製するための布帛が、当該骨袋の表面をなす面が外側になるように、台紙を挟んで縦方向に、その上端縁側から縦方向全長の１／６の長さ折り畳まれ、かつその下端縁側から前記縦方向全長の１／６の長さ折り畳まれるとともに、前記布帛は布海苔によって前記台紙の全面に貼着され、その後、前記１／６の長さ折り畳まれた部分が内側になるように前記台紙とともに縦方向半分に折り畳まれた後、その折り畳み片毎に、前記１／６の長さ折り畳まれた部分が外側になるようにさらに縦方向半分に折り畳まれた後、前記台紙とともに横方向に等間隔にアコーディオン状に折り畳まれ、その折り畳み体における前記布帛に被われていない両端の折り畳み片には、表紙及び裏表紙がそれぞれ設けられ、前記折り畳み体を構成する各折り畳み片の布帛面に、霊場巡礼における各札所寺院によって朱印が押印された後、前記台紙がそれに前記布帛が貼着された状態で一旦展開され、その後、前記布帛は、上端縁側および下端縁側から、それぞれ、前記１／６の長さ折り畳まれた部分が内側になるように前記台紙とともに縦方向の長さの１／４折り畳まれ、さらに前記台紙とともに縦方向に中心線に沿って内側に半分に折り畳まれた後、前記台紙とともに横方向に等間隔にアコーディオン状に折り畳まれ、前記折り畳み体を構成する各折り畳み片の布帛面に、霊場巡礼における各札所寺院によって朱印が押印された後、前記布帛が前記台紙とともに、縦方向に前記中心線に沿って外側に半分に折り畳まれた後、前記台紙とともに横方向に前記等間隔にアコーディオン状に折り畳まれ、前記折り畳み体を構成する各折り畳み片の布帛面に、各札所寺院によって朱印が押印され得るようになっているものであることを特徴とする集印帳。
【請求項１０】
前記台紙は、その縦方向の長さが前記布帛の縦方向の長さの２／３になっていて、前記台紙を縦方向に半分に分ける中心線と、前記布帛を縦方向半分に分ける中心線が一致した状態で、前記布帛が縦方向に折り畳まれるようになっていることを特徴とする請求項９に記載の集印帳。
【請求項１１】
前記折り畳み体を構成する各折り畳み片の台紙面には、前記各札所寺院を特定するための情報が予め記載されており、前記各折り畳み片の布帛面から前記記載された情報が透けて見えるようになっていることを特徴とする請求項１〜請求項１０のいずれかに記載の集印帳。
【考案の詳細な説明】
【技術分野】
【０００１】
本考案は、霊場巡礼の際に各札所寺院から授けられる朱印を骨袋（骨壺を収納するための袋及び埋葬骨を収納するための袋の両方を意味する。以下、同様。）に押印してもらい、集めるために使用する集印帳に関するものである。
【背景技術】
【０００２】
四国八十八カ所霊場巡礼や西国三十三カ所霊場巡礼等々、霊場巡礼は、今日まで、一般庶民の信仰として盛んに行われている。そして、霊場巡礼においては、各札所寺院に参拝した証として、札所寺院毎に朱印が授けられ、これらの朱印を集めることによって、御仏の御利益を受けることができるとして、一般に伝承されている。
【０００３】
この朱印を集める手段として、従来より、納経帳（朱印帳又は集印帳とも呼ばれる）や、納経軸（朱印軸とも呼ばれる）等があり、これらに朱印が押印されるとともに、墨で本尊を表す文字が書き込まれるようになっている。そして、例えば、掛軸（納経軸）は、全ての朱印が集められると、表具師に依頼して表装がなされ、開眼供養がなされた後、自宅での慶事や仏事が営まれるときに床の間に掛けて使用される。また、納経帳は、例えば、納経帳に朱印を集めた当人が死亡した際に、それを棺の中に入れてもらうことにより、御仏の御利益を受けて成仏するための術として使用されている。
【０００４】
一方、骨壺又は埋葬骨を納めるものとして骨袋があるが、この骨袋に霊場巡礼で授けられる朱印を集めておき、それを集めた当人が死亡した際に、当該骨袋を使用してもらうことで、納経帳と同様に、御仏の御利益を受けるための術として有効に使用することができる。
【０００５】
しかしながら、霊場巡礼の際に無地の骨袋を携帯し、これに随時朱印を受けるようにすると、袋を形成する布帛は紙等とは異なって柔軟性に富んでいるので、朱印の押印の際及び本尊を表す文字の筆による記入の際に容易に伸縮して、押印や写筆をうまく行うことができない。また、袋の一方の側面に朱印が押され、また墨で本尊を表す文字が書き込まれたときに、それが袋の他方の側面に写ってしまうおそれがある。また、朱印を押印し、文字を記入する箇所が定まりにくいので、朱印等が骨袋の特定の箇所に密集して押印され、袋の装飾の面で問題を生じることがあり、また、既に朱印を受けた寺院と、未だ朱印を受けていない寺院の別を容易に判断しにくく、朱印をダブって受けたり、朱印の押印もれを生じるおそれがある。
【考案の開示】
【考案が解決しようとする課題】
【０００６】
したがって、本考案の課題は、霊場巡礼の際に各札所寺院から授けられる朱印を骨袋にうまく集めることができるようにすることにある。
【課題を解決するための手段】
【０００７】
上記課題を解決するため、第１考案は、骨袋を作製するための布帛が、当該骨袋の表面をなす面が外側になるように、台紙を間に挟んで縦方向に半分に折り畳まれた後、前記台紙とともに横方向に等間隔にアコーディオン状に折り畳まれ、その折り畳み体の一方の端面に表紙が、他方の端面に裏表紙がそれぞれ設けられ、前記折り畳み体を構成する各折り畳み片の布帛面には、霊場巡礼の際に各札所寺院によって朱印が押印され得るようになっているものであることを特徴とする集印帳を構成したものである。
【０００８】
第１考案の構成において、好ましくは、前記台紙は２枚重ねになっているとともに、その縦方向の長さが前記布帛の縦方向の長さの半分より短くなっており、前記２枚重ねにされた台紙の上端縁が前記布帛を縦方向に半分に分ける中心線に一致した状態で、前記布帛が縦方向に半分に折り畳まれ、前記台紙からはみ出した上下端縁の帯状部分が、それぞれ、前記２枚の台紙の間に折り畳まれて挿入されるようになっている。
また好ましくは、前記布帛は、糊剤によって、前記台紙に仮止めされており、あるいは、前記布帛は、布海苔によって、前記台紙の全面に貼着されている。
【０００９】
第１考案の構成において、また好ましくは、前記台紙は、その縦方向の長さが前記布帛の縦方向の長さの半分になっていて、前記台紙が前記布帛の縦方向半分の部分の一方に重ね合わされた状態で、前記布帛が縦方向に半分に折り畳まれるとともに、前記布帛は糊剤によって前記台紙に仮止めされている。また、好ましくは、前記台紙は、その縦方向の長さが前記布帛の縦方向の長さの半分になっていて、前記台紙が前記布帛の縦方向半分の部分の一方に重ね合わされた状態で、前記布帛が縦方向に半分に折り畳まれるとともに、前記布帛は布海苔によって前記台紙の全面に貼着されている。
【００１０】
また上記課題を解決するため、第２考案は、骨袋を作製するための布帛が、当該骨袋の表面をなす面が外側になるように、台紙を挟んで縦方向に、その上端縁側から縦方向全長の１／４の長さ折り畳まれ、かつその下端縁側から前記縦方向全長の１／４の長さ折り畳まれるとともに、布海苔によって前記台紙の全面に貼着され、その後、前記布帛は前記上端縁及び下端縁の接合線に沿って前記台紙とともに縦方向谷折りに半分に折り畳まれた後、前記台紙とともに横方向に等間隔にアコーディオン状に折り畳まれ、その折り畳み体における前記布帛に被われていない両端の折り畳み片には、表紙及び裏表紙がそれぞれ設けられ、前記折り畳み体を構成する各折り畳み片の布帛面に、霊場巡礼における各札所寺院によって朱印が押印された後、前記布帛が前記台紙とともに、前記上端縁及び下端縁の接合線に沿って縦方向に山折りに半分に折り畳まれた後、前記台紙とともに横方向に前記等間隔にアコーディオン状に折り畳まれ、前記折り畳み体を構成する各折り畳み片の布帛面に、各札所寺院によって朱印が押印され得るようになっているものであることを特徴とする集印帳を構成したものである。
【００１１】
第２考案の構成において、好ましくは、前記台紙は、その縦方向の長さが前記布帛の縦方向の長さの半分になっていて、前記台紙を縦方向に半分に分ける中心線と、前記布帛を縦方向半分に分ける中心線が一致した状態で、前記布帛が縦方向に折り畳まれるようになっている。
【００１２】
また上記課題を解決するため、第３考案は、骨袋を作製するための布帛が、当該骨袋の表面をなす面が外側になるように、台紙を挟んで縦方向に、その上端縁側から縦方向全長の１／６の長さ折り畳まれ、かつその下端縁側から前記縦方向全長の１／６の長さ折り畳まれるとともに、前記布帛は布海苔によって前記台紙の全面に貼着され、その後、前記１／６の長さ折り畳まれた部分が内側になるように前記台紙とともに縦方向半分に折り畳まれた後、その折り畳み片毎に、前記１／６の長さ折り畳まれた部分が外側になるようにさらに縦方向半分に折り畳まれた後、前記台紙とともに横方向に等間隔にアコーディオン状に折り畳まれ、その折り畳み体における前記布帛に被われていない両端の折り畳み片には、表紙及び裏表紙がそれぞれ設けられ、前記折り畳み体を構成する各折り畳み片の布帛面に、霊場巡礼における各札所寺院によって朱印が押印された後、前記台紙がそれに前記布帛が貼着された状態で一旦展開され、その後、前記布帛は、上端縁側および下端縁側から、それぞれ、前記１／６の長さ折り畳まれた部分が内側になるように前記台紙とともに縦方向の長さの１／４折り畳まれ、さらに前記台紙とともに縦方向に中心線に沿って内側に半分に折り畳まれた後、前記台紙とともに横方向に等間隔にアコーディオン状に折り畳まれ、前記折り畳み体を構成する各折り畳み片の布帛面に、霊場巡礼における各札所寺院によって朱印が押印された後、前記布帛が前記台紙とともに、縦方向に前記中心線に沿って外側に半分に折り畳まれた後、前記台紙とともに横方向に前記等間隔にアコーディオン状に折り畳まれ、前記折り畳み体を構成する各折り畳み片の布帛面に、各札所寺院によって朱印が押印され得るようになっているものであることを特徴とする集印帳を構成したものである。
【００１３】
第３考案の構成において、好ましくは、前記台紙は、その縦方向の長さが前記布帛の縦方向の長さの２／３になっていて、前記台紙を縦方向に半分に分ける中心線と、前記布帛を縦方向半分に分ける中心線が一致した状態で、前記布帛が縦方向に折り畳まれるようになっている。
【００１４】
第１〜第３考案の構成において、好ましくは、前記折り畳み体を構成する各折り畳み片の台紙面には、前記各札所寺院を特定するための情報が予め記載されており、前記各折り畳み片の布帛面から前記記載された情報が透けて見えるようになっている。
【考案の効果】
【００１５】
本考案によれば、骨袋を作製する前の布帛の状態でこれを台紙とともに折り畳んで集印帳を形成し、この集印帳に朱印を集めるようにし、すべての朱印が集められた後、布帛を台紙から剥がして骨袋を作製するようにしたので、布帛を台紙に動かないように固定した状態で、集印帳の折り畳み片（ページ）毎に朱印の押印及び墨による写筆を受けることができる。したがって、布帛への朱印の押印及び墨による写筆を簡単に行うことができ、しかも、鮮明な押印及び写筆が得られる。また、折り畳み片毎に朱印及び写筆がなされるので、布帛上に朱印及び写筆を一定の配列パターンで備えることができ、よって、良好な外観を備えた骨袋を作製することもできる。また、札所寺院毎に、集印帳の該当するページを開いて朱印を受けることができるので、朱印をダブって受けることや、朱印の押印もれを生じることがない。
【考案を実施するための最良の形態】
【００１６】
以下、添付図面を参照して本考案の好ましい実施例について説明する。図１は、本考案の１実施例による集印帳の斜視図であり、（Ａ）は集印帳を閉じた状態を示し、（Ｂ）は集印帳を開いた状態を示している。
図１に示されるように、本考案による集印帳１は、骨袋（骨壺を収納するための袋及び埋葬骨を収納する袋の両方を含む。）を作製するための布帛２が、台紙を間に挟んで折り畳まれ、その折り畳み体の一方の端面に表紙３が設けられ、他方の端面に裏表紙５が設けられたものからなっている。そして、この集印帳１の各折り畳み片の布帛面６に朱印が押印されるとともに、墨によって本尊を表す文字が書き込まれる。
【００１７】
図２及び図３は、図１の集印帳の作製方法を説明する一連の図である。以下、これらの図を参照して本考案の集印帳の作製方法を説明しながら、この集印帳の構成の詳細を説明する。図２は、図１の集印帳の展開図であり、（Ａ）は２枚の台紙が重ね合わされる前の状態を示し、（Ｂ）は２枚の台紙が重ね合わされた状態を示したものである。
図２を参照して、まず最初、骨袋を作製するための布帛２が、当該骨袋の表面をなす面が外側になるように、台紙４、４’を間に挟んで縦方向に半分に折り畳まれる。この場合、布帛２は、木綿、麻及び絹等の天然繊維から製織されたものからなっていることが好ましい。また、この実施例では、台紙４、４’は２枚重ねになっているとともに、その縦方向の長さＬ２が布帛２の縦方向の長さＬ１の半分より短くなっており、これら２枚重ねにされた台紙４、４’の上端縁４ａが、布帛２を縦方向に半分に分ける中心線に一致した状態で、布帛２が縦方向に半分に折り畳まれる。台紙４、４’は、通常は、適当な紙から形成されるが、必要に応じて、適当な厚さの布地から形成されていてもよい。
【００１８】
そして、図３（Ａ）に示されるように、布帛２は、台紙４、４’を間に挟んで縦方向に半分に折り畳まれたとき、台紙４、４’からはみ出した上下端縁の帯状部分２ａ、２ｂが、それぞれ、２枚の台紙４、４’の間に折り畳まれて挿入される。
【００１９】
布帛２は、好ましくは、この折り畳みの過程において、糊剤によって台紙４、４’に仮止めされる。さらに好ましくは、布帛２は、布海苔によって、台紙４、４’の全面に貼着される。それによって、布帛２が台紙４、４’に動かないように固定され、伸縮することがないので、布帛２への朱印の押印及び墨による写筆が容易かつ確実になされ得る。また、すべての朱印が集められた後には、布帛２は台紙４、４’から簡単に剥がされ、骨袋の形成材料として使用される。
【００２０】
なお、台紙２の構成はこの実施例に限定されるものではなく、例えば、縦方向の長さが布帛２の縦方向の長さの半分である１枚の台紙を用意し、この台紙を布帛２の縦方向半分の部分の一方に重ね合わせた状態で、布帛２を縦方向に半分に折り畳むようにしてもよい。この場合には、糊剤による布帛２の台紙４、４’への仮止め、又は、布海苔による布帛２の台紙４、４’全面への貼着が必ず必要となる。
【００２１】
その後、図３（Ｂ）に示されるように、布帛２は、台紙４、４’とともに横方向に等間隔にアコーディオン状に折り畳まれ、その折り畳み体の一方の端面に表紙３が、他方の端面に裏表紙５がそれぞれ設けられる。この実施例では、図２（Ａ）、（Ｂ）から明らかなように、台紙４、４’の横方向の長さは、布帛２の横方向の長さより、その両側に折り畳み片１つ分ａ、ｂ；ａ’、ｂ’だけ長くなっており、そして、この布帛２によって被われない折り畳み片ａ、ｂ；ａ’、ｂ’に、表紙３及び裏表紙５が設けられる。なお、台紙４、４’の横方向の長さが布帛２の横方向の長さと同じになるようにしてもよい。この場合には、布帛２に被われた台紙部分に表紙３及び裏表紙５が取り外し可能に設けられる。
【００２２】
図４は、図１の集印帳１が隣接する２つの折り畳み片の領域で開かれた状態を示した図であり、図４において、左側の折り畳み片の布帛面６には未だ朱印は押印されておらず、右側の折り畳み片の布帛面６には既に朱印８が押印されるとともに、墨によって本尊を表す文字９が書き入れられている。
図４の左側の折り畳み片の布帛面６を参照して、この実施例では、各折り畳み片の台紙面には、各札所寺院を特定する情報７、例えば、各札所寺院の名称及びその寺院が第何番目の札所であるか、並びにその寺院の本尊の名称等が予め記載されており、各折り畳み片の布帛面６からその情報が透けて見えるようになっている。そして、使用者は、この情報に基づいて、必要な朱印を的確に集めることができる。この札所寺院を特定する情報は、必要に応じて備えられる。
【００２３】
本考案による集印帳1は、通常の納経帳と同様、霊場巡りの際に携帯される。そして、札所寺院の参拝がなされる毎に、集印帳の該当する折り畳み片の布帛面６が開かれ、当該布帛面６に朱印が押印されるとともに、墨によって本尊を表す文字が記入される。
集印帳１にすべての朱印が集められると、布帛２が台紙４、４’から剥がされ、この布帛２を用いて、図５に示されるように、骨袋１０が作製される。この場合、骨袋１０作製前の布帛２には、骨袋の表面を形成する面に、札所寺院毎の朱印及び墨による写筆１１が、ほぼ一定の間隔をあけて整列した状態で押印及び書き入れられる。
【００２４】
図６は、本考案の別の実施例による集印帳の作製方法を説明する一連の図である。図６（Ａ）、（Ｂ）を参照して、この実施例では、まず最初、骨袋を作製するための布帛２１が、骨袋の表面をなす面が外側になるように、台紙２２を挟んで縦方向に、その上端縁２１ａ側から縦方向全長の１／４の長さ折り畳まれ、かつその下端縁２１ｂ側から縦方向全長の１／４の長さ折り畳まれる。この場合、台紙２２は、横方向の長さが、布帛２１の横方向の長さよりその両側に所定の長さ（後述のように、横方向にアコーディオン状に折り畳まれたときの折り畳み片１つ分）だけ長くなっており、また、縦方向の長さＬ３が布帛２１の縦方向の長さＬ４の半分になっていて、台紙２２を縦方向に半分に分ける中心線２２ａと、布帛２１を縦方向半分に分ける中心線２１ｃが重ね合わされた状態で、布帛２１が縦方向に折り畳まれる。
【００２５】
この折り畳みの過程において、布帛２１は、糊剤によって、台紙２２に仮止めされており、あるいは、布帛２１は、布海苔によって、台紙２２の全面に貼着される。
【００２６】
その後、図６（Ｃ）に示されるように、布帛２１は、上端縁２１ａ及び下端縁２１ｂの接合線２３に沿って、台紙２２とともに縦方向谷折りに半分に折り畳まれた後、図６（Ｄ）に示されるように、台紙２２とともに横方向に等間隔にアコーディオン状に折り畳まれる。
そして、図６（Ｄ）に示されるように、その折り畳み体における布帛２１に被われていない両端の折り畳み片には、表紙２３及び裏表紙２４がそれぞれ設けられる。この実施例では、表紙２３及び裏表紙２４は、当該折り畳み片の裏面側にも設けられる。
【００２７】
本考案による集印帳２０は、通常の納経帳と同様、霊場巡りの際に携帯され、札所寺院の参拝がなされる毎に、集印帳２０の該当する折り畳み片の布帛面２５が開かれ、当該布帛面２５に朱印が押印されるとともに、墨によって本尊を表す文字が記入される。
集印帳２０にすべての朱印が集められると、布帛２１が上端縁２１ａ及び下端縁２１ｂの接合線２３に沿って、台紙２２とともに縦方向に山折りに半分に折り畳まれた後、台紙２２とともに横方向に等間隔にアコーディオン状に折り畳まれる。そして、残りの札所寺院の参拝がなされる毎に、該当する折り畳み片の布帛面２５が開かれ、朱印が押印されるとともに、墨によって本尊を表す文字が記入される。すべての朱印が集められると、布帛２１が台紙２２から剥がされ、骨袋を作製するために使用される。
この実施例によれば、同数の朱印を集めるにあたり、図１の実施例よりも、集印帳の折り畳み片の数（ページ数）が少なくてすむ。そして、この実施例の集印帳の折り畳み片の数を、図１の実施例と同じにした場合には、図１の実施例の場合よりも大きい面積の布帛に朱印を集めることができる。
【００２８】
図１の実施例は、骨袋を作製するための布帛を縦方向に二つ折りにした後、横方向にアコーディオン状に折り畳んだ構成を有し、図６の実施例は、布帛を縦方向に四つ折にした後、横方向にアコーディオン状に折り畳んだ構成を有している。しかしながら、本考案の構成は、これらの実施例に限定されるものではなく、布帛を縦方向に偶数回折り畳んだ後、横方向にアコーディオン状に折り畳むことによって、同様の集印帳を構成することができる。
【図面の簡単な説明】
【００２９】
【図１】本考案の１実施例による集印帳の斜視図である。
【図２】図１の集印帳の作製方法を説明する一連の図である。
【図３】図１の集印帳が作製方法を説明する一連の図である。
【図４】図１の集印帳を開いた状態を示した図であり、左側の折り畳み片の布帛面には未だ朱印が押印されておらず、右側の折り畳み片の布帛面には朱印が押印されている。
【図５】図１の集印帳にすべての朱印が集められた後、その布帛を使用して作製された骨袋を示した図である。
【図６】本考案の別の実施例による集印帳の作製方法を説明する一連の図である。
【符号の説明】
【００３０】
１  集印帳
２  布帛
３  表紙
４、４’  台紙
５  裏表紙
６  折り畳み片
７  札所寺院を特定する情報
８  朱印
９  墨で書かれた本尊を表す文字
【図１】
0003104703.tif 000003
【図２】
0003104703.tif 000004
【図３】
0003104703.tif 000005
【図４】
0003104703.tif 000006
【図５】
0003104703.tif 000007
【図６】
0003104703.tif 000008
【手続補正書】
【提出日】平成16年4月21日(2004.4.21)
【手続補正１】
【補正対象書類名】実用新案登録請求の範囲
【補正対象項目名】請求項８
【補正方法】変更
【補正の内容】
【請求項８】
前記台紙は、その縦方向の長さが前記布帛の縦方向の長さの半分になっていて、前記台紙を縦方向に半分に分ける中心線と、前記布帛を縦方向半分に分ける中心線が一致した状態で、前記布帛が縦方向に折り畳まれるようになっていることを特徴とする請求項７に記載の集印帳。